(57)【特許請求の範囲】
【請求項１】
インターネットブラウザを搭載し、インターネットサーバとの間でデータを授受するインターネット端末におけるホームページの閲覧方法であって、
アクセスしたサーバのホームページの閲覧にあたって、サーバ側から該サーバにアクセスしたことに伴うＩＤおよびまたはパスワードの要求を受けたか否かを判定する要求判定ステップと、
前記要求判定ステップにおいて、サーバ側からＩＤおよびまたはパスワードの要求を受けたと判定した場合に、前記インターネットブラウザにおいて構築されたブックマークに格納されたＵＲＬに対応するＩＤおよびまたはパスワードを検索する検索ステップと、
前記検索ステップにおいてブックマーク領域より検索されたＩＤおよびまたはパスワードをサーバ側に送信する通信処理ステップとを前記インターネット端末においてバックグラウンド処理により実行させるようにしたことを特徴とするインターネット端末におけるホームページの閲覧方法。
【請求項２】
インターネットブラウザを搭載し、インターネットサーバとの間でデータを授受するインターネット端末におけるホームページの閲覧装置であって、
アクセスしたサーバのホームページの閲覧にあたって、サーバ側から該サーバにアクセスしたことに伴うＩＤおよびまたはパスワードの要求を受けたか否かをバックグラウンド処理により判定する要求判定手段と、
前記要求判定手段によって、サーバ側からＩＤおよびまたはパスワードの要求を受けたと判定した場合に、前記インターネットブラウザにおいて構築されたブックマークに格納されたＵＲＬに対応するＩＤおよびまたはパスワードをバックグラウンド処理により検索する検索手段と、
前記検索手段によってブックマークより検索されたＩＤおよびまたはパスワードをバックグラウンド処理によりサーバ側に送信する通信処理手段とが前記インターネット端末に具備されていることを特徴とするインターネット端末におけるホームページの閲覧装置。
【発明の詳細な説明】
【０００１】
【発明の属する技術分野】
この発明は、アクセスしたサーバのホームページの閲覧にあたって、サーバ側からＩＤおよびまたはパスワードの要求を受けた場合において、自動的に端末内に登録されているブックマークのＵＲＬに対応するＩＤおよびまたはパスワードをサーバに対して送信できるようにして操作を簡略化できるようにしたインターネット端末におけるホームページの閲覧方法および装置に関する。
【０００２】
【従来の技術】
インターネット端末におけるＷＥＢブラウザには、各インターネットサーバのホームページとの間で閲覧等のデータの授受を管理する機能を有しており、前記ブラウザにはブックマークと称する“しおり機能”が搭載されている。
【０００３】
したがって、ユーザが頻繁にアクセスするホームページを、前記ブックマークに登録しておくことで、ユーザ端末において各インターネットサーバのホームページに対するアクセス操作を自動化することができるようになされている。
【０００４】
また前記ブックマークには、セキュリティ付きのＵＲＬへアクセスした場合のＩＤ／パスワードの要求に応えるために、一度利用したページに関しＵＲＬと共にＩＤ／パスワードを前記したブックマークに記憶することができるものも提供されている。
【０００５】
これを利用すると、ＵＲＬと共にＩＤ／パスワードをブックマークに記憶できるために、次回以降にブックマークからダイレクトにＵＲＬを指定してアクセスする場合には、ブックマークに記憶してあるＩＤ／パスワードを自動送信することで、操作の簡略化を図ることができる。
【０００６】
【発明が解決しようとする課題】
ところで、ホームページの閲覧中において、当該ページ上のリンクからジャンプしてセキュリティ付きのＵＲＬへアクセスした場合には、改めてＩＤ／パスワードの要求を受ける。
【０００７】
このような要求があった場合には、ユーザは画面上に形成されたダイアログにＩＤ／パスワードを入力し、サーバ側でこれを確認された場合において、当該ページの送信データが受けられるように成される。
【０００８】
また、前記したブックマークを使用しないで当該ページにアクセスした場合には、同様にＩＤ／パスワードの要求がなされ、前記と同様にダイヤログ上にＩＤ／パスワードを入力する手順を踏まなければならない。
【０００９】
本発明は、前記した操作上の煩わしさを解決するためになされたものであり、一度ブックマークにＩＤ／パスワードを登録すれば、次回アクセスからは、ブックマークを使用する／しないにかかわらず、登録したＩＤ／パスワードを自動送信できるようにすることで、操作の簡略化を図ることができるインターネット端末におけるホームページの閲覧方法および装置を提供することを目的とするものである。
【００１０】
【課題を解決するための手段】
前記目的を達成するために成された本発明にかかるインターネット端末におけるホームページの閲覧方法は、インターネットブラウザを搭載し、インターネットサーバとの間でデータを授受するインターネット端末におけるホームページの閲覧方法であって、アクセスしたサーバのホームページの閲覧にあたって、サーバ側からＩＤおよびまたはパスワードの要求を受けたか否かを判定する要求判定ステップと、前記要求判定ステップにおいて、サーバ側からＩＤおよびまたはパスワードの要求を受けたと判定した場合に、前記インターネットブラウザにおいて構築されたブックマークに格納されたＵＲＬに対応するＩＤおよびまたはパスワードを検索する検索ステップと、前記検索ステップにおいてブックマークより検索されたＩＤおよびまたはパスワードをサーバ側に送信する通信処理ステップとを前記インターネット端末において実行させるようにしたことを特徴とする。
【００１１】
この場合、前記要求判定ステップ、検索ステップ、および通信処理ステップとの一連のステップは、バックグラウンド処理によって実行される点に特徴を有する。
【００１２】
また、本発明にかかるインターネット端末におけるホームページの閲覧装置は、インターネットブラウザを搭載し、インターネットサーバとの間でデータを授受するインターネット端末におけるホームページの閲覧装置であって、アクセスしたサーバのホームページの閲覧にあたって、サーバ側からＩＤおよびまたはパスワードの要求を受けたか否かを判定する要求判定手段と、前記要求判定手段によって、サーバ側からＩＤおよびまたはパスワードの要求を受けたと判定した場合に、前記インターネットブラウザにおいて構築されたブックマークに格納されたＵＲＬに対応するＩＤおよびまたはパスワードを検索する検索手段と、前記検索手段によってブックマークより検索されたＩＤおよびまたはパスワードをサーバ側に送信する通信処理手段とが前記インターネット端末に具備される。
【００１３】
以上のようになされたホームページの閲覧方法および装置によると、ページ上のリンクからジャンプしてセキュリティ付きのＵＲＬへアクセスした場合、およびブックマークを使用しないで当該ＵＲＬにアクセスした場合には、サーバ側からのＩＤおよびまたはパスワードの要求を受けてバックグラウンド処理により、ブラウザに構築されたブックマークの検索が実行される。
【００１４】
そして、ブックマーク上に記述されたサーバ名と領域名とから、ＩＤおよびまたはパスワードを検索し、検索されたＩＤおよびまたはパスワードを自動的にサーバ側に送信する通信処理を実行する。
【００１５】
したがって、ユーザはタイヤログ上で改めてＩＤおよびまたはパスワードの入力操作を行うことなく、ページを閲覧することができる。
【００１６】
【発明の実施の形態】
以下、本発明にかかるホームページの閲覧装置について、図に示した実施の形態に基づいて説明する。
【００１７】
図１は、インターネット端末とＷＥＢサーバとのネットワークの接続状況をブロック図によって示したものである。インターネット端末１には、本発明にかかるホームページの閲覧装置としてのプログラムを格納したＣＰＵ２が搭載されており、以下これをブラウザ２とも称呼する。そして、このインターネット端末１は、ユーザ操作を受ける例えばリモコンキーボート３からの入力コマンドが受信されるように構成されている。
【００１８】
また、端末１には、周知のテレビ受像機またはディスプレイ４が接続され、コマンドの入力状況、或いはホームページのデータ表示等が成されるように構成されている。
【００１９】
前記インターネット端末１は、通信手段としての電話回線５によるＰＰＰ（Ｐｏｉｎｔ  ｔｏ  Ｐｏｉｎｔ  Ｐｌｏｔｏｃｏｌ  ）接続により、インターネットプロバイダ６を経由し、各インターネットサーバ（ＷＥＢサーバ）７との間で交信が実行できるように構成されている。
【００２０】
図２は、前記端末１に搭載された主にブラウザ２の機能を模式的に示したものである。ブラウザ２においては、フォアグランド処理として実行されるユーザ処理と、バックグラウンド処理として実行される検索送信処理とが含まれる。
【００２１】
なお、図２において、図１において説明した各ブロックに相当する部分は同一符号で示している。また、図２においては説明の便宜上、前記フォアグランド処理を示すブロックをフォアグランド処理手段１１、バックグラウンド処理を示すブロックをバックグラウンド処理手段１２と称呼する。
【００２２】
前記フォアグランド処理手段１１は、ホームページ画面上でユーザが操作するホームページ閲覧中処理１１ａと、ブックマーク一覧画面上でユーザが操作するブックマーク一覧表示中処理１１ｂとに分けることができる。
【００２３】
前者のホームページ閲覧中処理１１ａにおける画面上でユーザが行う処理は、ホームページをスクロールさせるために上下左右キーを操作すること、またリンクが指定されているアイテムを選択してＷＥＢサーバにアクセスすること、さらにフォームなどの入力ボックスに、文字を入力したり、ファイルを選択する処理などが含まれる。
【００２４】
後者のブックマーク一覧表示中処理１１ｂにおける画面上でユーザが行う処理は、ブックマークを選択してＷＥＢサーバにアクセスすること、またＵＲＬ入力してＷＥＢサーバにアクセスすること、さらにブックマークを編集して、移動、削除、変更などを行うこと、さらにまたアクセスしたホームページをブックマークに登録しＩＤ／パスワードを登録する処理などが含まれる。
【００２５】
また、前記バックグラウンド処理手段１２には、ブックマークから該当するホームページをアクセスするアクセス処理、サーバ側からＩＤ／パスワードの要求があった場合に、ブックマークに登録されているＵＲＬに対応するＩＤ／パスワードを検索するブックマーク検索処理１２ａが含まれ、また前記ブックマーク検索処理１２ａの起動に伴い動作する通信処理１２ｂも含まれる。
【００２６】
そして、ＷＥＢブラウザソフトウエアの管理部分は、大きく分けて、ホームページ管理部１４、ブックマーク管理部１５、表示管理部１６、通信管理部１７に分けることができる。
【００２７】
前記ホームページ管理部１４は、現在閲覧しているホームページのデータを管理するものであり、そのデータはメモリもしくはドライブ１８に格納される。また前記ブックマーク管理部１５は、現在登録されているブックマークデータを管理するものであり、そのデータは同じくメモリもしくはドライブ１８に格納される。
【００２８】
前記表示管理部１６は、ホームページ表示、ブックマーク一覧表示の２つに分けることができる。前者のホームページ表示は、ホームページ管理部１４で管理しているデータを一覧表示するものであり、後者のブックマーク表示は、ブックマーク管理部１５で管理しているデータを一覧表示するものである。
【００２９】
この場合の一覧表示は、いずれも前記テレビ受像機またはディスプレイ４で行われる。さらに前記通信管理部１７は、ＷＥＢサーバにアクセスする場合に、特定のプロトコルを使用してＷＥＢサーバ７にアクセスする部分を管理する。
【００３０】
なお、図２において、実線はバックグラウンド処理において成される通信形態を示しており、また破線はフォアグランド処理において成される通信形態を示している。
【００３１】
次に図３は、図２に示したブラウザ２においてバックグラウンド処理にて実行される検索送信処理手段、すなわちサーバ側からＩＤ／パスワードの要求があった場合に、ブックマークに登録されているＵＲＬに対応するＩＤ／パスワードを検索するブックマーク検索処理１２ａと、ブックマーク検索処理１２ａの起動に伴い動作する通信処理１２ｂの処理作用を説明するフローチャートである。
【００３２】
このフローチャートに入る場合においては、あるページ上のリンクからジャンプしたときの開始１と、ブックマークを利用せずに手動でＵＲＬを入力したときの開始２とに分けることができる。
【００３３】
先ず、あるページ上のリンクからジャンプしたときの開始１から入るルーチンにおいては、ステップＳ１においてＨＴＭＬが受信される。これに基づいてステップＳ２においてＨＴＭＬが画面４上に表示される。続いてステップＳ３において、リンク先への移動をユーザが指示したか否かが判断される。すなわちユーザがキーボート３を操作してリンク先領域の閲覧を希望したか否かが判断される。
【００３４】
ここで、ユーザの指示がない場合（Ｎｏの場合）には、ステップＳ２に戻りＨＴＭＬの表示状態で循環（待機）される。
【００３５】
前記ステップＳ３において、リンク先への移動をユーザが指示したと判断した場合（Ｙｅｓの場合）には、ステップＳ４において、通信管理部１７が起動して当該サーバにアクセスする。そしてステップＳ５においては、サーバ７にアクセスしたことに伴うＩＤとパスワードを要求されたか否かを判定する。
【００３６】
ここで、サーバ７よりＩＤとパスワードの要求がない場合（Ｎｏの場合）には、ステップＳ１に戻り、以上のルーチンを巡回する。また、ステップＳ５において、サーバ７よりＩＤとパスワードの要求がなされたと判断した場合（Ｙｅｓの場合）には、ステップＳ６に移行して、アクセスしようとしたＵＲＬの領域名、すなわちセキュリティのかかっている領域の名称を取得する。
【００３７】
そして、ステップＳ７において、サーバ名（ＵＲＬ文字列）と領域名をブックマークの中から検索する。
【００３８】
なお、図４は１つのブックマークのデータ構造の一例を示しており、前記ステップＳ７においては、図４に示したデータ構造より成る各ブックマークをアクセスし、前記２つのアイテムの論理積条件を検索することになる。
【００３９】
そして、ステップＳ８において前記検索条件に一致したブックマークが検索されたか否かが判定される。ここで、ブックマークに前記した条件のものが登録されていない場合（Ｎｏの場合）には、ステップＳ９に移り、ユーザによるＩＤとパスワードの入力が促される。そこでステップＳ９においてユーザは、ダイヤログ上でＩＤとパスワードを入力することで、ステップＳ１０に移行する。
【００４０】
また、ステップＳ８において前記検索条件に一致したブックマークが検索されたと判断された場合（Ｙｅｓの場合）にも同様にステップＳ１０に移行する。このステップＳ１０においては、検索されたブックマークに対応するＩＤとパスワードとを通信管理部１７がサーバ７に対して送信する処理を実行する。
【００４１】
この一連のルーチンにより、サーバ７はＩＤとパスワードとを取得し、ＵＲＬのセキュリティが付された特定な領域のデータを端末に対して送信することになる。
【００４２】
以上の説明は、あるページ上のリンクからジャンプしてセキュリティが付された領域を閲覧する場合の作用であり、ブックマークを利用せずに手動でＵＲＬを入力したときには、図３の開始２からステップＳ１１に入るルーチンが採用される。すなわち、ステップＳ１１においては、ユーザによる手動による（キーボード３による）ＵＲＬ入力がなされ、この後前記ステップＳ４に移行して前記と同様なルーチンに従うことになる。
【００４３】
なお、本発明にかかるホームページの閲覧方法および装置は、インターネット専用端末、または例えばパソコンにブラウザをインストールしてインターネット端末として用いる場合においても、これを利用できることは勿論である。
【００４４】
【発明の効果】
以上の説明で明らかなとおり、本発明にかかるホームページの閲覧方法および装置によると、サーバ側からＩＤおよびまたはパスワードの要求を受けた場合において、インターネットブラウザにおいて構築されたブックマークに格納されたＵＲＬに対応するＩＤおよびまたはパスワードを検索し、検索されたＩＤおよびまたはパスワードをサーバ側に送信するようになされる。
【００４５】
したがって、例えばページ上のリンクからジャンプしてセキュリティ付きのＵＲＬへアクセスした場合であっても、ユーザは改めてＩＤおよびまたはパスワードの入力操作を行う手順を踏むことなく、当該ページの閲覧を行うことができ、操作の簡略化を図ることができる。
【図面の簡単な説明】
【図１】本発明を利用することができるインターネット端末とサーバとの接続状況のハード構成を示したブロック図である。
【図２】インターネット端末に搭載された本発明にかかる主にブラウザの機能を示した模式図である。
【図３】図２に示すブラウザの作用を説明するフローチャートである。
【図４】１つのブックマークのデータ構造の例を示した模式図である。
【符号の説明】
１  インターネット端末
２  ブラウザ
３  キーボート
４  ディスプレイ
５  通信手段（電話回線）
６  インターネットプロバイダ
７  サーバ
１１  フォアグランド処理
１２  バックグラウンド処理
１３  切り替え機能
１４  ホームページ管理部
１５  ブックマーク管理部
１６  表示管理部
１７  通信管理部
１８  メモリ（ドライブ）
【図１】
0003570890.tif 000002
【図２】
0003570890.tif 000003
【図３】
0003570890.tif 000004
【図４】
0003570890.tif 000005